(57)【要約】【課題】支持をより確実とすることを可能とする。【解決手段】壁面５に取り付けられる固定側ステー７と、家具３に取り付ける可動側ステー９と、固定側ステー７及び可動側ステー９間に介設され家具３の支持を圧縮荷重を受ける方向で行う緩衝体１１とよりなるため、地震などにより動的荷重が可動側ステー９の進退方向に入力されたときは、緩衝体１１により動的荷重を緩衝することができ、固定側ステー７が壁面５から外れるのを抑制し、一定以上の荷重入力に対しては、緩衝体１１が底付くことで可動側ステー９と固定側ステー７とが一体的となり、家具３を確実に支持することができることを特徴とする。【選択図】  図３
2007111183.tif 000002
【特許請求の範囲】
【請求項１】
固定面に取り付けられる固定側ステーと、
被固定体に取り付ける可動側ステーと、
前記固定側ステー及び可動側ステー間に介設され被固定体の支持を圧縮荷重を受ける方向で行う緩衝体とよりなる
ことを特徴とする耐震支持装置。
【請求項２】
請求項１記載の耐震支持装置であって、
前記固定側ステー及び可動側ステー間に、可動側ステーを固定側ステーに進退移動ガイドするガイド部を設けた
ことを特徴とする耐震支持装置。
【請求項３】
請求項１又は２記載の耐震支持装置であって、
前記固定側ステーに、前記緩衝体の一端を取り付ける位置調整可能な可動体を設けた
ことを特徴とする耐震支持装置。
【請求項４】
請求項１〜３の何れかに記載の耐震支持装置であって、
前記固定側ステーに、前記可動体に対向すると共にねじ穴を有した調整壁部を設け、
前記調整壁部に、調整ねじを螺合して取り付けると共に該調整ねじの先端を前記可動体に当接又は回転可能に結合した
ことを特徴とする耐震支持装置。
【請求項５】
請求項１〜４の何れかにに記載の耐震支持装置であって、
前記緩衝体は、ゴム、コイルスプリング、ショック・アブソーバの何れかである
ことを特徴とする耐震支持装置。
【発明の詳細な説明】
【技術分野】
【０００１】
本発明は、家具などの耐震支持装置に関する。
【背景技術】
【０００２】
従来、家具などの耐震支持装置として例えば、コイルス・プリングを用いたものがある。この耐震支持装置は、固定片とＬ型の取付片と該固定片及び取付片間のコイル・スプリングからなり、固定片を壁に固定し、取付片を家具の天板に取付けたものである。
【０００３】
地震時に建物に入る水平加速度に基づいて家具に入力される加速度により取付片に動的荷重が働き、この動的荷重をコイル・スプリングが緩衝する。
【０００４】
従って、固定片が釘などにより壁に固定される場合、地震時の動的荷重が釘に直接入力されるのを規制し、釘の抜けを抑制し、家具の転倒を押さえることができる。
【０００５】
しかし、上記のような構造では、固定片及び取付片間の単にコイル・スプリングが介設されているだけであるため、一定以上の荷重入力があるとコイル・スプリングが延びるだけで家具を十分に支持できないという問題があった。
【０００６】
【特許文献１】特開平１１−７５９７５号公報
【発明の開示】
【発明が解決しようとする課題】
【０００７】
解決しようとする問題点は、家具を十分に支持できないという点である。
【課題を解決するための手段】
【０００８】
本発明は、支持をより確実とするため、固定面に取り付けられる固定側ステーと、被固定体に取り付ける可動側ステーと、前記固定側ステー及び可動側ステー間に介設され被固定体の支持を圧縮荷重を受ける方向で行う緩衝体とよりなることを最も主要な特徴とする。
【発明の効果】
【０００９】
本発明の耐震支持装置は、固定面に取り付けられる固定側ステーと、被固定体に取り付ける可動側ステーと、前記固定側ステー及び可動側ステー間に介設され被固定体の支持を圧縮荷重を受ける方向で行う緩衝体とよりなるため、地震などにより動的荷重が可動側ステーの進退方向に入力されたときは、緩衝体により動的荷重を緩衝することができ、固定側ステーが固定面から外れるのを抑制し、被固定体を確実に支持することができる。
【００１０】
一定以上の荷重入力に対しては、緩衝体が底付くことで可動側ステーと固定側ステーとが一体的となり、被固定体を確実に支持することができる。
【発明を実施するための最良の形態】
【００１１】
支持をより確実にするという目的を、緩衝体の圧縮荷重により被固定体を支持させることにより実現した。
【実施例１】
【００１２】
［耐震支持装置の構造］
図１は、本発明の実施例に係る耐震支持装置を家具の支持に適用した側面図である。
【００１３】
図１のように、耐震支持装置１は、被固定体である箪笥、ロッカーその他の家具３の天部に取り付けられると共に、固定面である壁面５に取り付けられている。
なお、耐震支持装置１は、家具３以外の被固定体の支持に適用することも可能である。
【００１４】
前記耐震支持装置１の具体的構成は、図２〜図５のようになっている。図２は、耐震支持装置の一部を断面にした平面図、図３は、図２のＩＩＩ−ＩＩＩ線矢視断面図、図４は、同正面図、図５は、同背面図である。
【００１５】
図２，図３のように、耐震支持装置１は、固定側ステー７と可動側ステー９と緩衝体１１とよりなっている。
【００１６】
前記固定側ステー７は、前記壁面５に取り付けられるもので、固定本体部１３が、スチールなどの板材により矩形状に形成され、この固定本体部１３に長孔１４が設けられている。固定本体部１３の一端には、固定壁部１５が設けられ、同他端に、調整壁部１７が設けられている。
【００１７】
図２〜図５のように、前記固定壁部１５には、ねじ止め用の貫通孔１９が複数、例えば４個設けられている。前記調整壁部１７には、ねじ穴２１が設けられている。
【００１８】
前記可動側ステー９は、前記固定側ステー７に進退移動ガイド可能に設けられ前記家具３に取り付けるものである。可動側ステー９は、可動本体部２３が、スチールなどの板材により矩形状に形成され、この可動本体部２３の幅方向両縁には、ガイド・レール部２５が設けられ、固定側ステー７の固定本体部１３両縁に嵌合ガイドされている。可動本体部２３の一端側には、ねじ止め用の貫通孔２７が複数、例えば４個設けられている。可動本体部２３の一端には、係合壁部２９が設けられ、該係合壁部２９に、ゴムなどの当接材３１が取り付けられている。可動本体部２３の他端には、受け壁部３３が設けられ、受け壁部３３は、前記長孔１４から固定側ステー７上に相対移動可能に突出している。
【００１９】
前記受け壁部３３に対向して位置調整可能な可動体としての可動板３５が配置されている。可動板３５に対し、前記調整壁部１７が間隔を持って対向配置されている。前記固定側ステー７の調整壁部１７には、ねじ穴２１に調整ねじ３７が螺合して取り付けられ、該調整ねじ３７の先端は、前記可動板３５に当接している。調整ねじ３７には、ハンドル３９が設けられ、ロック・ナット４１が螺合している。
【００２０】
前記緩衝体１１は、例えばゴムで構成され、一端が受け壁部３３に固定され、他端が可動板３５に固定されている。緩衝体１１のばね定数は、該ばね定数と家具３とで構成される振動系の固有振動数が地震時に家屋に入力される地震波振動周波数よりも高くなるように設定されている。従って、地震時に家具３が共振して大きく揺れることを防止できる。
【００２１】
［耐震支持装置の取付］
前記耐震支持装置１は、係合壁部２９が、家具３の上部前壁に係合配置される。このとき、当接材３１が家具３に弾接し、滑り止め機能を奏する。この状態で、可動側ステー９の可動本体部２３は、家具３の天部上に沿って配置され、貫通孔２７から家具３の天部に固定ねじを締結し、可動本体部２３を家具３に固定する。
【００２２】
固定側ステー７は、固定壁部１５が壁面５に当接され、貫通孔１９から壁面５に固定ねじを締結し、固定側ステー７を壁面５に固定する。
【００２３】
この取り付けのとき、調整ねじ３７のハンドル３９を回して調整ねじ３７及び可動板３５間に隙間を設けると、係合壁部２９及び固定壁部１５間の間隔を、家具３の寸法よりも大きくすることができ固定側ステー７及び可動側ステー９の取付を容易にすることができる。
【００２４】
取付後は、調整ねじ３７を締め込んでその先端を可動板３５に当接させ、ロック・ナット４１を締め込んで位置決める。この調整ねじ３７の締め込みにより、例えば緩衝体１１にプリロードを付与した状態で組み付けることができる。但し、調整ねじ３７の締め込み調整により、緩衝体１１を、プリロードゼロの状態で組み付けることも可能である。
【００２５】
［緩衝作用］
地震などの際に、建物に入る水平加速度を１Ｇと仮定し、家具３の質量が１５０ｋｇであると、家具３から係合壁部２９を介して可動側ステー９に１５０ｋｇｆの動的荷重が入力される。この入力により、受け壁部３３を介し緩衝体１１に荷重が入力され、可動板３５、調整ねじ３７、調整壁部１７の順に荷重伝達が行われる。
【００２６】
このとき、最初の大きな荷重伝達時に固定側ステー７に対して可動側ステー９が、ガイド・レール部２５及び固定側ステー７間のガイドと共に移動し、受け壁部３３及び可動板３５間が接近する。この接近により緩衝体１１が圧縮されて入力荷重を緩衝するから、固定側ステー７への伝達荷重は小さくなる。このため、固定壁部１５を壁面５に固定する固定ねじに入力される水平荷重が軽減され、固定ねじの抜けが抑制され、耐震支持装置１により家具３を壁面５に確実に支持することができる。
【００２７】
入力荷重が更に増大すると、緩衝体１１が底付きして可動側ステー９及び固定側ステー７が一体的となり、耐震支持装置１により家具３を壁面５に対して確実に支持させることができる。
【００２８】
一方、水平加速度による動的荷重は、可動側ステー７の可動方向に交差する例えば直交方向に入力されることもある。この場合は、固定側ステー７が長孔１４の部分等で塑性変形し、荷重吸収を行うことができる。従って、同様に固定ねじの抜けが抑制され、耐震支持装置１により家具３を壁面５に対して確実に支持させることができる。
【００２９】
［実施例１の効果］
本発明実施例の耐震支持装置１は、壁面５に取り付けられる固定側ステー７と、家具３に取り付ける可動側ステー９と、前記固定側ステー７及び可動側ステー９間に介設され家具３の支持を圧縮荷重を受ける方向で行う緩衝体１１とよりなるため、地震などにより動的荷重が可動側ステー９の進退方向に入力されたときは、緩衝体１１により動的荷重を緩衝することができ、固定側ステー７が壁面５から外れるのを抑制し、家具３を確実に支持することができる。
【００３０】
一定以上の荷重入力に対しては、緩衝体１１が底付くことで可動側ステー９と固定側ステー７とが一体的となり、家具３を確実に支持することができる。
【００３１】
動的加重が、可動側ステー９の進退方向に交差する方向から入力されたときは、固定側ステー７又は可動側ステー９の変形などにより入力を緩衝することができ、固定側ステー７が壁面５から外れるのを抑制し、家具３を確実に支持することができる。
【００３２】
前記固定側ステー７に、前記緩衝体１１の一端を取り付ける位置調整可能な可動板３５を設けたため、可動板３５の位置調整により耐震支持装置１の取付を容易にし、或いは緩衝体１１にプリロードを付与した状態で組み付けることなどが可能となる。
【００３３】
前記固定側ステー７に、前記可動板３５に対向すると共にねじ穴２１を有した調整壁部１７を設け、調整壁部１７に、調整ねじ３７を螺合して取り付けると共に該調整ねじ３７の先端を前記可動板３５に当接させるため、可動板３５の位置調整を容易に行わせることができる。
【００３４】
前記緩衝体１１は、ゴム、コイルスプリング、ショック・アブソーバの何れかであるため、入力荷重を確実に緩衝することができる。
【実施例２】
【００３５】
図６〜図８は、本発明の実施例２に係り、図６は、耐震支持装置の平面図、図７は、図６のＶＩＩ−ＶＩＩ線矢視断面図、図８は、同正面図、図９は、同背面図である。なお、基本的な構成は実施例１と同様であり、同一又は対応する構成部分には、同符号又は同符号にＡを付して説明する。
【００３６】
本実施例の耐震支持装置１Ａでは、緩衝体１１Ａをコイル・スプリングで構成し、 実施例１のガイド・レール部２５に代えて、固定側ステー７のガイド孔４３及び可動側ステー９に固定したピン部４５としたものである。
【００３７】
前記可動体３５Ａは、ばね座形状とされ、可動側ステー９の受け壁部３３にばね座部４７を締結固定している。これによって、緩衝体１１Ａであるコイル・スプリングの支持が行われている。可動体３５Ａと調整ねじ３７の先端とは、回転自在に結合されている。緩衝体１１Ａのばね定数も、実施例１と同様に共振周波数を考慮して決定されている。
【００３８】
従って、本実施例では、コイル・スプリングの緩衝体１１Ａにより振動入力を緩衝することができ、可動側ステー９に固定したピン部４５が固定側ステー７のガイド孔４３に沿って移動することで進退移動ガイドされる。緩衝体１１Ａのばね反力は、調整ねじ３７の調整壁部１７に対するねじ込み位置調整により行うことができる。
【００３９】
そして、本実施例でも、実施例１と同様な作用効果を奏することができる。また、本実施例では、ピン部４５及びガイド孔４３により進退移動ガイドを行ったことで、構造を簡単にすることができ、また、小型、軽量に形成することができる。
【実施例３】
【００４０】
図１０〜図１３は、本発明の実施例３に係り、図１０は、耐震支持装置の平面図、図１１は、図１０のＸＩ−ＸＩ線矢視断面図、図１２は、同正面図、図１３は、同背面図である。なお、基本的な構成は実施例２と同様であり、同一又は対応する構成部分には、同符号又は同符号のＡをＢに代えて説明する。
【００４１】
本実施例の耐震支持装置１Ｂでは、緩衝体１１Ｂをショック・アブソーバで構成したものである。緩衝体１１Ｂであるショック・アブソーバのシリンダ部は、壁部１７Ｂに固定され、同ピストン・ロッド部は、受け壁部３３に固定されている。緩衝体１１Ｂのばね定数も、実施例１と同様に共振周波数を考慮して決定されている。
【００４２】
従って、本実施例では、ショック・アブソーバの緩衝体１１Ｂにより振動入力を緩衝、減衰することができ、実施例２同様に、可動側ステー９に固定したピン部４５が固定側ステー７のガイド孔４３に沿って移動することで進退移動ガイドされる。
【００４３】
このため本実施例でも、実施例２と同様な作用効果を奏することができる。
【００４４】
なお、ショック・アブソーバのシリンダ部及び受け壁部３３間に、緩衝用のコイル・スプリングを追加する構成にすることもできる。
［その他］
耐震支持装置１は、家具以外の被固定体の支持にも適用することができる。
【００４５】
緩衝体１１は、ゴム、コイルスプリング、ショック・アブソーバ以外のもので構成することもできる。
【００４６】
調整ねじ３７及び可動板３５、可動体３５Ａを省略し、緩衝体１１を受け壁部３３及び調整壁部１７間に直接介設する構成にすることもできる。
【００４７】
上記実施例では、固定壁部１５を壁面５にねじ止めし、可動本体部２３を家具３にねじ止めしたが、接着により固定することも可能である。この場合、ばね定数を調整したゴム、スポンジなどを介在させて接着することも可能である。  
【図面の簡単な説明】
【００４８】
【図１】耐震支持装置を家具の支持に適用した側面図である（実施例１）。
【図２】耐震支持装置の一部を断面にした平面図である（実施例１）。
【図３】図２のＩＩＩ−ＩＩＩ線矢視断面図である（実施例１）。
【図４】耐震支持装置の正面図である（実施例１）。
【図５】耐震支持装置の背面図である（実施例１）。
【図６】耐震支持装置の一部を断面にした平面図である（実施例２）。
【図７】図６のＶＩＩ−ＶＩＩ線矢視断面図である（実施例２）。
【図８】耐震支持装置の正面図である（実施例２）。
【図９】耐震支持装置の背面図である（実施例２）。
【図１０】耐震支持装置の一部を断面にした平面図である（実施例３）。
【図１１】図１０のＸＩ−ＸＩ線矢視断面図である（実施例３）。
【図１２】耐震支持装置の正面図である（実施例３）。
【図１３】耐震支持装置の背面図である（実施例３）。
【符号の説明】
【００４９】
１，１Ａ，１Ｂ  耐震支持装置
３  家具（被固定体）
５  壁面（固定面）
７  固定側ステー
９  可動側ステー
１１，１１Ａ，１１Ｂ  緩衝体
１７  調整壁部
１７Ｂ  壁部
２１  ねじ穴
３５  可動板（可動体）
３５Ａ  可動体
３７  調整ねじ
【図１】
2007111183.tif 000003
【図２】
2007111183.tif 000004
【図３】
2007111183.tif 000005
【図４】
2007111183.tif 000006
【図５】
2007111183.tif 000007
【図６】
2007111183.tif 000008
【図７】
2007111183.tif 000009
【図８】
2007111183.tif 000010
【図９】
2007111183.tif 000011
【図１０】
2007111183.tif 000012
【図１１】
2007111183.tif 000013
【図１２】
2007111183.tif 000014
【図１３】
2007111183.tif 000015